(57)【要約】【課題】電圧ドロップのおそれをなくした電子機器を提供する。【解決手段】電子部品が搭載されたユニット２−１、・・・、２−ｎを複数枚挿入可能なシェルフ１−１、１−２、・・・を備えている電子機器において、各シェルフに対して１次電源を供給するための受電端子盤３−１、３−２、・・・が、各シェルフ毎に設けられており、受電端子盤３−１、３−２、・・・からブレーカ及びノイズフィルタを介して、各シェルフ１−１、１−２、・・・に設けられた電源用基板であるユニット２−１１、２−２１から、各シェルフ毎の各ユニット２−２、・・・、２−ｎに対して電源供給を行う。【選択図】  図２
2004171475.tif 000002
【特許請求の範囲】
【請求項１】
電子部品が搭載された基板を複数枚挿入可能な筐体を、１または２以上備えている電子機器において、
前記各筐体に対して１次電源を供給するための受電端子盤が、各筐体毎に設けられており、
前記受電端子盤からブレーカ及びノイズフィルタを介して、各筐体に設けられた電源用基板から、各筐体毎の各基板に対して電源供給を行うことを特徴とする電子機器。
【請求項２】
前記受電端子盤と前記ブレーカ及び前記ノイズフィルタが、筐体のマザーボード裏面であって、前記電源用基板が挿入されるスロットの背面側に設けられていることを特徴とする請求項１に記載の電子機器。
【請求項３】
前記受電端子盤が、筐体のマザーボード裏面であって、前記電源用基板が挿入されるスロットの背面側に設けられ、
前記ブレーカ及び前記ノイズフィルタが前記電源用基板に設けられていることを特徴とする請求項１に記載の電子機器。
【発明の詳細な説明】
【０００１】
【発明の属する技術分野】
この発明は、電子部品が搭載された基板を複数枚挿入可能な筐体を、１または２以上備えている電子機器に関するものである。
【０００２】
【従来の技術】
従来より、電子部品が搭載された基板をユニットと称し、このユニットが複数枚挿入可能な筐体や筐体を複数重ねた架をシェルフと称している。そして、従来の電子機器は、図４に示されるようにシェルフ９０−１、９０−２、・・・と、複数台のシェルフを用いて構成される。
【０００３】
そして、局舎電源ケーブル８１を介して１次電源を受電盤８２へ導き、受電盤８２から電源ケーブル（或いはバスバー）８３を介して各シェルフ９０−１、９０−２、・・・のユニット９１−１、９１−２、・・・、９１−ｎ、９２−１、・・・、９２−ｎへ１次電源を供給している。上記において、ユニット９１−１、９２−１は、電源用基板であり、この電源用基板において２次電源を作成し、各ユニット９１−２、・・・、９１−ｎ、９２−２、・・・、９２−ｎへ電源供給を行っている。
【０００４】
【発明が解決しようとする課題】
しかしながら、上記従来の構成に係る電子機器の構成では、電源ケーブル（或いはバスバー）８３による電圧ドロップのおそれがあった。
【０００５】
本発明は、上記のような従来の電子機器が有している問題点を解決せんとしてなされたもので、その目的は、電圧ドロップのおそれをなくした電子機器を提供することである。
【０００６】
【課題を解決するための手段】
本発明に係る電子機器は、電子部品が搭載された基板を複数枚挿入可能な筐体を、１または２以上備えている電子機器において、前記各筐体に対して１次電源を供給するための受電端子盤が、各筐体毎に設けられており、前記受電端子盤からブレーカ及びノイズフィルタを介して、各筐体に設けられた電源用基板から、各筐体毎の各基板に対して電源供給を行うことを特徴とする。
【０００７】
本発明に係る電子機器は、前記受電端子盤と前記ブレーカ及び前記ノイズフィルタが、筐体のマザーボード裏面であって、前記電源用基板が挿入されるスロットの背面側に設けられていることを特徴とする。
【０００８】
本発明に係る電子機器は、前記受電端子盤が、筐体のマザーボード裏面であって、前記電源用基板が挿入されるスロットの背面側に設けられ、前記ブレーカ及び前記ノイズフィルタが前記電源用基板に設けられていることを特徴とする。
【０００９】
【発明の実施の形態】
以下添付図面を参照して、本発明に係る電子機器の実施例を説明する。各図において、同一の構成要素には同一の符号を付して重複する説明を省略する。本発明の電子機器は、図２に示すように電子部品が搭載された基板であるユニットを複数枚挿入可能な筐体であるシェルフ１−１、１−２、・・・を備える。シェルフ１−１、１−２、・・・は、積層されて架を構成する。
【００１０】
シェルフ１−１には、ユニット２−１１、２−１２、・・・、２−１ｎが挿入されて備えられ、シェルフ１−２には、ユニット２−２１、２−２２、・・・、２−２ｎが挿入されて備えられる。
【００１１】
各シェルフ（筐体）１−１、１−２、・・・に対して１次電源を供給するための受電端子盤３−１、３−２、・・・が、各シェルフ（筐体）１−１、１−２、・・・毎に設けられている。受電端子盤３−１、３−２、・・・に対しては、局舎電源ケーブル４−１、４−２、・・・が接続され、この局舎電源ケーブル４−１、４−２、・・・を介して１次電源が供給される。
【００１２】
また、受電端子盤３−１、３−２、・・・から、後に説明するブレーカ及びノイズフィルタを介して、各シェルフ１−１、１−２、・・・に設けられた電源用基板であるユニット２−１１、２−２１、・・・へ電源が送られる。このユニット２−１１、２−２１、・・・からは２次電源が、各シェルフ１−１、１−２、・・・毎の各基板であるユニット２−１２、・・・、２−１ｎ、２−２２、・・・、２−２ｎに対して電源ライン５−１、５−２、・・・を介して電源供給を行う構成となっている。
【００１３】
各シェルフ１−１、１−２、・・・は同一の構成であるから、図１に示すシェルフ１を代表として説明する。電源用基板であるユニット２−１と、一般の基板であるユニット２−２、・・・、２−ｎがシェルフ１へ挿入される。シェルフ１の背板は、マザーボード６とされている。
【００１４】
マザーボード６の裏面であって、一般の基板であるユニット２−２、・・・、２−ｎが挿入されるスロットの背面側には、コネクタ７−１１、・・・、７−１ｍ、７−２１、・・・、７−２ｍが設けられているが、マザーボード６の裏面であって、電源用基板であるユニット２−１が挿入されるスロットの背面側には、通常はコネクタが設けられず、空いている。
【００１５】
そこで、本実施例では、マザーボード６の裏面であって、電源用基板であるユニット２−１が挿入されるスロットの背面側に、受電端子盤３を設ける。受電端子盤３には、局舎電源ケーブル（４−１、４−２、・・・）が接続されると共にブレーカ（ＮＦＢ）３１及びノイズフィルタ３２が備えられている。
【００１６】
以上の構成により、１次電源は、局舎電源ケーブル（４−１、４−２、・・・）を介して受電端子盤３へ至り、ブレーカ（ＮＦＢ）３１及びノイズフィルタ３２を介して電源用基板であるユニット２−１へ至る。この電源用基板であるユニット２−１において２次電源が作成され、この２次電源は電源ライン５−１、５−２、・・・を介して一般の基板であるユニット２−２、・・・、２−ｎへ給電される。
【００１７】
本実施例によれば、シェルフへ１次電源を供給するために、局舎電源ケーブル４−１を用い、受電盤を介して電源ケーブルやバスバーによる供給を行わないので、電圧ドロップを防ぐことができる。また、電子機器に共通の受電盤が不要な上に、電源ケーブルやバスバーを用いる必要がなくなる。更に、マザーボード６の裏面を有効利用できる。
【００１８】
図３に、シェルフの別の構成例を示す。この構成例に係るシェルフ１Ａにおいては、マザーボード６の裏面であって、電源用基板であるユニット２−１が挿入されるスロットの背面側には、受電端子盤３が設けられている。
【００１９】
電源用基板であるユニット２−１には、ブレーカ（ＮＦＢ）３１及びノイズフィルタ３２が搭載されている。以上の構成により、１次電源は、局舎電源ケーブル４−１を介して受電端子盤３へ至り、電源用基板であるユニット２−１に備えられたコネクタを介して電源用基板であるユニット２−１に搭載されたブレーカ（ＮＦＢ）３１及びノイズフィルタ３２へ至る。
【００２０】
この電源用基板であるユニット２−１において、２次電源が作成され、電源ライン５−１、５−２、・・・（図２）を介して一般の基板であるユニット２−２・・・、２−ｎへ給電がなされる。本変形例は、電源用基板であるユニット２−１にブレーカ（ＮＦＢ）３１及びノイズフィルタ３２を搭載するスペースがある場合に有効である。
【００２１】
本変形例によっても、シェルフへ１次電源を供給するために、局舎電源ケーブル４−１を用い、受電盤を介して電源ケーブルやバスバーによる供給を行わないので、電圧ドロップを防ぐことができる。また、電子機器に共通の受電盤が不要な上に、電源ケーブルやバスバーを用いる必要がなくなる。
【００２２】
なお、以上の例において、シェルフを複数個備えた電子機器を説明したが、シェルフは１個でも良い。
【００２３】
【発明の効果】
以上説明したように本発明に係る電子機器は、基板を挿入する筐体に対して、１次電源を供給するための受電端子盤が、各筐体毎に設けられており、受電端子盤からブレーカ及びノイズフィルタを介して、各筐体に設けられた電源用基板から、各筐体毎の各基板に対して電源供給を行う構成を採用しているので、上記受電端子盤に対して局舎電源ケーブルを用いて１次電源を供給し、電子機器に共通の受電盤を介して電源ケーブルやバスバーによる供給を行わない構成を採用することができ、電圧ドロップを避けることができ、好適な電源供給を実現することが可能である。
【図面の簡単な説明】
【図１】本発明に係る電子機器に用いられるシェルフの実施例の構成を示す斜視図。
【図２】本発明に係る電子機器の給電構成を示すブロック図。
【図３】本発明に係る電子機器に用いられるシェルフの変形例の構成を示す斜視図。
【図４】従来例に係る電子機器の給電構成を示すブロック図。
【符号の説明】
１、１Ａ  シェルフ
２−１〜２−ｎ  ユニット
２−１１〜２−１ｎ  ユニット
２−２１〜２−２ｎ  ユニット
３  受電端子盤
４−１、４−２  局舎電源ケーブル
５−１、５−２  電源ライン
６  マザーボード
７−１１〜７−１ｍ  コネクタ
７−２１〜７−２ｍ  コネクタ
【図１】
2004171475.tif 000003
【図２】
2004171475.tif 000004
【図３】
2004171475.tif 000005
【図４】
2004171475.tif 000006